(57)【特許請求の範囲】
【請求項１】
使用者が着座可能な座部と、該座部の前部に使用者の脚部を載置可能なオットマンとを備え、該オットマンは、前記使用者の脚部を挿入配置可能な脚部用保持部と、前記使用者の足部を足裏から支持可能な足部用保持部とを別体となるよう有し、前記脚部用保持部及び前記足部用保持部の少なくとも一方にマッサージ手段が設けられ、該マッサージ手段にて前記使用者の脚をマッサージするマッサージ機であって、
前記オットマンを前記座部の前後方向にスライドさせて前記オットマンが前記座部の下部に収納された収納状態と、前記オットマンが前記座部の前方に露出された使用状態とに切り替え可能なスライド機構を備え、
前記脚部用保持部と前記足部用保持部とは別の回動軸にて回動可能に設けられるとともに、前記使用状態において前記脚部用保持部及び足部用保持部を回動させて、前記マッサージ手段によるマッサージが可能なマッサージ可能状態と、前記使用者の脚部を載置可能な脚載面を露出させる脚載可能状態とに切り替え可能に構成され、
前記各保持部を回動させてマッサージ可能状態と脚載可能状態とに切替える際に前記各保持部の回動を連動させる連動リンク機構が設けられたことを特徴とするマッサージ機。
【請求項２】
請求項１に記載のマッサージ機において、
前記スライド機構にて前記オットマンが使用状態とされた場合に、前記オットマンが前記脚載可能状態となるように付勢する付勢手段が設けられたことを特徴とするマッサージ機。
【請求項３】
請求項１又は２に記載のマッサージ機において、
前記連動リンク機構は、前記オットマンの両側に一対備えられ、相互に連結部材にて連結されて一体動作するよう構成されたことを特徴とするマッサージ機。
【請求項４】
請求項１〜３のいずれか一項に記載のマッサージ機において、
前記脚載可能状態から前記マッサージ可能状態となるように前記各保持部が回動されるその途中でロックする回動ロック機構が設けられたことを特徴とするマッサージ機。
【発明の詳細な説明】
【技術分野】
【０００１】
本発明は、座部の前部にオットマンを備えたマッサージ機に関するものである。
【背景技術】
【０００２】
従来、使用者が着座可能な座部の前部にオットマンを設け、そのオットマンに使用者の脚部をマッサージする膨縮動作可能なエアバッグを内蔵したマッサージ機が知られている。
【０００３】
このようにマッサージ機に設けられるオットマンにおいては、そのオットマンがマッサージ時以外には邪魔となることも多く、その場合にはオットマンを収納できることが望まれている。これに対し、例えば特許文献１のマッサージ機では、例えば座部下部の収容空間を利用してオットマンを収容する構成が開示されている。また、特許文献１のマッサージ機に備えられるオットマンでは、同文献の図１に示されるように使用者の足部を独立して挿入配置可能な一対の断面Ｌ字状の足部用保持部が設けられ、その保持部の側壁にエアバッグを内蔵させ、エアバッグの膨縮動作にて使用者の両脚それぞれを個別に挟んでマッサージすることが可能な構成とされている。
【０００４】
ところで、上記のようなマッサージ機のように、脚部のみのマッサージを行う足部用保持部を有するオットマンである場合には、オットマン全体としての大きさは比較的小さいため、オットマンを座部下に収容することは容易である。
【０００５】
しかしながら、近年のマッサージ機に備えられるオットマンでは、足部用保持部に加えて、使用者の脚部（下腿）を支持可能な脚部用保持部が前記足部用保持部とは別体に設ける構成のものが開発されている。このため、オットマン全体として足部用保持部のみの構成と比較して大型化を招き易く、オットマンを収容する際にはオットマンを小型化することが望ましい。このことから、オットマンを収容する際には、例えば各保持部を独立して座部の左右方向を軸として回動可能とし、例えば各保持部の保持面から突出する各側壁が干渉しないように重ね合わせることで、オットマンの小型化を図る方法が考えられる。
【先行技術文献】
【特許文献】
【０００６】
【特許文献１】特開２００７−７５５９０号公報
【発明の概要】
【発明が解決しようとする課題】
【０００７】
ところで、上記のようなオットマンを備えたマッサージ機では、オットマンの小型化を図ることができるが、マッサージ機としてだけでなく、脚部をオットマンに載せて使用することが望まれているが、上記のオットマンには各保持部に側壁等が設けられているため、リラックスした状態で使用することは難しく、この改善が望まれている。
【０００８】
本発明は、上記課題を解決するためになされたものであって、その目的は、足部用保持部と脚部用保持部とが回動されるオットマンにおいてマッサージ可能状態と脚載可能状態とに切り替え可能なマッサージ機を提供することにある。
【課題を解決するための手段】
【０００９】
使用者が着座可能な座部と、該座部の前部に使用者の脚部を載置可能なオットマンとを備え、該オットマンは、前記使用者の脚部を挿入配置可能な脚部用保持部と、前記使用者の足部を足裏から支持可能な足部用保持部とを別体となるよう有し、前記脚部用保持部及び前記足部用保持部の少なくとも一方にマッサージ手段が設けられ、該マッサージ手段にて前記使用者の脚をマッサージするマッサージ機であって、前記オットマンを前記座部の前後方向にスライドさせて前記オットマンが前記座部の下部に収納された収納状態と、前記オットマンが前記座部の前方に露出された使用状態とに切り替え可能なスライド機構を備え、前記脚部用保持部と前記足部用保持部とは別の回動軸にて回動可能に設けられるとともに、前記使用状態において前記脚部用保持部及び足部用保持部を回動させて、前記マッサージ手段によるマッサージが可能なマッサージ可能状態と、前記使用者の脚部を載置可能な脚載面を露出させる脚載可能状態とに切り替え可能に構成され、前記各保持部を回動させてマッサージ可能状態と脚載可能状態とに切替える際に前記各保持部の回動を連動させる連動リンク機構が設けられたことをその要旨とする。
【００１０】
この発明では、オットマンを座部の前後方向にスライドさせてオットマンが座部の下部に収納された収納状態と、オットマンが座部の前方に露出された使用状態とに切り替え可能なスライド機構が備えられる。これによって、オットマンを使用しない場合には座部の下部にオットマンを収納させ、オットマン使用時にはその収納状態からスライド機構によって座部前方に露出させることで使用することができる。また脚部用保持部と足部用保持部とは別の回動軸にて回動可能に設けられるとともに、脚部用保持部及び足部用保持部を回動させて、マッサージ手段を座部の前方に露出させるマッサージ可能状態と、使用者の脚部を載置可能な脚載面を露出させる脚載可能状態とに切替え可能に構成される。これにより、マッサージ可能状態と脚載可能状態とに切り替えることができる。更に、各保持部を回動させてマッサージ可能状態と脚載可能状態とに切替える際には各保持部の回動を連動させる連動リンク機構が設けられる。このように、各保持部を回動させてマッサージ可能状態と脚載可能状態とに切り替える際にその回動が連動リンク機構によって連動されるため、より確実にマッサージ可能状態と脚載可能状態とに切替えることが可能となる。
【００１１】
請求項２に記載の発明は、請求項１に記載のマッサージ機において、前記スライド機構にて前記オットマンが使用状態とされた場合に、前記オットマンが前記脚載可能状態となるように付勢する付勢手段が設けられたことをその要旨とする。
【００１２】
この発明では、スライド機構にてオットマンが使用状態とされた場合に、オットマンが脚載可能状態となるように付勢する付勢手段が設けられる。このように、付勢手段によりオットマンを脚載可能状態とすることができる。
【００１３】
請求項３に記載の発明は、請求項１又は２に記載のマッサージ機において、前記連動リンク機構は、前記オットマンの両側に一対備えられ、相互に連結部材にて連結されて一体動作するよう構成されたことをその要旨とする。
【００１４】
この発明では、連動リンク機構は、オットマンの両側に一対備えられ、相互に連結部材にて連結されて一体動作するよう構成される。このように、オットマンの左右に位置する一対のリンク機構が連結されることで、各リンク機構による各保持部の回動を連動させる際に左右均等に実施することができる。
【００１５】
請求項４に記載の発明は、請求項１〜３のいずれか一項に記載のマッサージ機において、前記脚載可能状態から前記マッサージ可能状態となるように前記各保持部が回動されるその途中でロックする回動ロック機構が設けられたことをその要旨とする。
【００１６】
この発明では、脚載可能状態からマッサージ可能状態となるように各保持部が回動されるその途中でロックする回動ロック機構が設けられる。ここでマッサージ可能状態をマッサージ機を使用する使用者の内で最も体格の大きな（高身長）の使用者に合わせて各保持部の回動量を設定した場合でも、その回動を途中でロックするロック機構が設けられているため、小柄な使用者でもその回動途中でマッサージを実施することが可能となる。
【発明の効果】
【００１７】
本発明によれば、足部用保持部と脚部用保持部とが回動されるオットマンにおいてマッサージ可能状態と脚載可能状態とに切り替え可能なマッサージ機を提供することができる。
【図面の簡単な説明】
【００１８】
【図１】本実施形態におけるマッサージ機の概略構成を説明するための側面図である。
【図２】オットマンの収納状態について説明するための側面図である。
【図３】収納状態ロック機構及び使用状態ロック機構について説明するための側面図である。
【図４】（ａ）はオットマンの使用状態における脚載可能状態ついて説明するための側面図であり、（ｂ）は使用状態ロック機構について説明するための要部拡大図である。
【図５】オットマンの使用状態におけるマッサージ可能状態について説明するための側面図。
【図６】リンク部材を連結する連結部材について説明するための斜視図である。
【図７】オットマンの回動を任意の位置でロックする回動ロック機構について説明するための側面図である。
【発明を実施するための形態】
【００１９】
以下、本発明を具体化した一実施形態を図面に従って説明する。
図１は、マッサージ機の側面を示す。椅子型マッサージ機１０の椅子本体１０ａは、左右一対の支持脚部１１にて支持された座部１２の後端に背もたれ部１３が組み付けられるとともに、座部１２の前端にオットマン１４が組み付けられてなる。また、着座した使用者の腕部を置くことのできる肘掛け部１６が座部１２の左右に設けられている。
【００２０】
背もたれ部１３には、施療子１７ａを有するマッサージ機構１７が内装されるとともに、背もたれ部１３の上下方向及び左右方向にマッサージ機構１７（施療子１７ａ）を所定量移動可能に構成されている。
【００２１】
オットマン１４は、使用者の脚部のうち下腿部分を保持するための脚部用保持部２１と、足先部分の足裏部分を保持するための足部用保持部２２とを別体に設けたものである。ここでの「下腿部分」は膝から足首までの部分を意味し、「足先部分」は足首から先の部分を意味する。
【００２２】
図６に示すように、オットマン１４の脚部用保持部２１は、使用者の下腿部分の裏側（脹脛）から保持可能な２つの下腿保持面２１ａ（図１等では１つのみ図示）と、各下腿保持面２１ａの左右両側から延出する側壁２１ｂとを有している。このため、各側壁２１ｂ間に使用者の脚部（下腿）を挿入可能となっている。また、オットマン１４の足部用保持部２２は、使用者の足裏部分を保持可能な１つの足裏保持面２２ａと、この足裏保持面２２ａの左右方向両側から延出する側壁２２ｂと、足裏保持面２２ａの裏側に位置するクッション性を有した脚載面２２ｃとを有している。脚部用保持部２１の側壁２１ｂ及び足部用保持部２２の足裏保持面２２ａには膨収動作が可能なエアバッグ２３，２４が設けられている。
【００２３】
また、本実施形態のマッサージ機１０のオットマン１４は、スライド機構３０によってオットマン１４が前後方向に移動可能に構成されるとともに、座部１２の下部に収納される収納状態（図１及び図２参照）と、座部１２の前方にオットマン１４が露出されてオットマン１４を使用可能な使用状態（図４及び図５参照）とに切り替え可能となっている。
【００２４】
図２に示すようにスライド機構３０は、レール部材３１と、スライドフレーム３２とを有している。スライド機構３０を構成するレール部材３１は、座部１２を構成する座部フレーム１２ａを支持する前後左右のそれぞれに立設される支持脚フレーム１２ｂにおいて左右一対となるように固定されている。
【００２５】
スライド機構３０を構成するスライドフレーム３２は、レール部材３１に対してコロ部材３３によって前後方向に移動可能となるように左右一対のレール部材３１のそれぞれに対応して配置されている。そして、各スライドフレーム３２は、それぞれの前端側に一対のリンク部材３５が座部１２の左右方向に延びる回動軸３５ａにて回動可能に接続されている。
【００２６】
左右一対のリンク部材３５は、図６に示すように連結部材３６にて各リンク部材３５が一体回動するよう連結されている。そして、リンク部材３５には、前記オットマン１４を成す脚部用保持部２１及び足部用保持部２２が回動軸３５ｂ，３５ｃにてそれぞれ回動可能に設けられている。
【００２７】
更に、マッサージ機１０は、座部１２の下部にオットマン１４を収納する前記収納状態でオットマン１４の前後方向へのスライド移動をロックするための収納状態ロック機構４０と、座部１２の前方にオットマン１４を露出させる前記使用状態でオットマン１４の前後方向へのスライド移動をロックするための使用状態ロック機構５０とを有している。また、マッサージ機１０は、各ロック機構４０，５０によるロックを解除する解除機構６０と、この解除機構６０によって各状態におけるロックを解除した場合にオットマン１４を所定量移動させる付勢機構７０とを備えている。
【００２８】
収納状態ロック機構４０は、図２に示すように、支持脚フレーム１２ｂに固定されたレール部材３１側に設けられるストッパ４１と、オットマン１４と連結されるスライドフレーム３２側に固定されるストッパ受け４２とで構成されている。ストッパ４１は、レール部材３１に設けられるとともにレール部材３１の長手方向と直交する方向である上方に延びる支持部３１ａの回動軸３１ｂを中心として回動される回動アーム４３を介してレール部材３１に取り付けられている。ストッパ４１は、回動アーム４３の回動によって、ストッパ受け４２に当たる下方位置と、ストッパ受け４２には当たらない上方位置との間で、切り替え自在になっている。なお、回動アーム４３は、ストッパ４１を下方位置に保持するようにねじりコイルばね４５によって付勢されている。
【００２９】
使用状態ロック機構５０は、図４に示すように、支持脚フレーム１２ｂに固定されたレール部材３１側に設けられる５１と、オットマン１４と連結するスライドフレーム３２の後端部に固定されるストッパ受け５２とで構成されている。ストッパ５１は、レール部材３１に設けられる上方に延びる前記支持部３１ａの回動軸３１ｂを中心として回動される回動アーム５３を介してレール部材３１に取り付けられている。ストッパ５１は、回動アーム５３の回動によって、ストッパ受け５２に当たる下方位置と、ストッパ受け５２には当たらない上方位置との間で、切り替え自在になっている。また、ストッパ受け５２を有する回動アーム５３は、ストッパ５１を下方位置に保持するようにねじりコイルばね４５によってばね付勢されている。なお、このねじりコイルばね４５は、前記収納状態ロック機構４０のストッパ４１を付勢するコイルばね４５と同一のものである。つまり、各ロック機構４０，５０の回動アーム４３，５３は同一の回動軸３１ｂを中心として回動されるとともに、その回動軸３１ｂに設けられるねじりコイルばね４５によって各回動アーム４３，５３を下方に付勢してストッパ４１，５１を下方位置に付勢している。
【００３０】
解除機構６０は、前記回動アーム４３，５３と、座部フレーム１２ａに設置される解除レバー６１と、解除レバー６１とそれぞれの回動アーム４３，５３とを接続する２つの線材６２とを有している。解除レバー６１は、座部フレーム１２ａに対して回動軸６３ａを中心として回動可能とされる解除プレート部材６３と、この解除プレート部材６３に設けられるとともに前記座部１２及び前記肘掛け部１６との間から一部が外部に露出される紐状の引っ張り部材６４とを有している。そして、引っ張り部材６４を上方に引っ張り上げると、解除プレート部材６３が回動されて線材６２を介して２本の回動アーム４３，５３が所定方向（本実施形態では上方）に揺動し、ストッパ４１，５１をストッパ受け４２，５２とは当たらない上方位置に移動させるようになっている。
【００３１】
付勢機構７０は、レール部材３１とスライドフレーム３２との間に介在する引っ張りコイルばね７１から成る。引っ張りコイルばね７１は、オットマン１４が座部１２下方の収納状態にあるときにはスライドフレーム３２に前方への付勢力を与えるとともに、オットマン１４が使用状態にあるときにはスライドフレーム３２に後方への付勢力を与えるようになっている。より具体的には、引っ張りコイルばね７１は、互いの位置関係が前記収納状態及び使用状態とで相対的に変化する前記支持部３１ａと前記ストッパ受け４２後部に設けられるとの間に接続されている。
【００３２】
オットマン１４が図２に示すように収納状態にあるときには、ストッパ４１をストッパ受け４２と係合させることでスライドフレーム３２及びオットマン１４の前後方向への移動がロックされている。この時、脚部用保持部２１と足部用保持部２２から成るオットマン１４は、脚部用保持部２１の一部（使用状態において上端側となる部分）が、足部用保持部２２の左右の側壁２２ｂ間に収まり、小型化された状態で、座部１２の下部の収容空間内に収納されて収納状態が保持されるようになっている。この収納状態において、脚部用保持部２１はその下腿保持面２１ａを下方に向けた姿勢（以下「下向き姿勢」という）で位置し、足部用保持部２２はその足裏保持面２２ａを後方に向けるとともに足裏保持面２２ａの裏側に位置する脚載面２２ｃを前方に向けた姿勢（以下「後ろ向き姿勢」という）で位置する。なお、各保持部２１，２２を各姿勢に保持する手段としては、図２に示すように脚部用保持部２１をスライドフレーム３２側に付勢するばね８０及びコイルばね８１によって付勢されることで前記収容状態における下向き姿勢及び後ろ向き姿勢となるよう保持されている。そして、この下向き姿勢にある脚部用保持部２１の前端部分（使用状態において上端側となる部分）を、足部用保持部２２の左右の側壁２２ｂ間に収めることで、全体をコンパクト化している。
【００３３】
一方、オットマン１４を収納状態若しくは使用状態から他の状態に移行させる時には、図３に示すように前記引っ張りコイルばね７１による付勢力が最も小さくなるロック解除状態となってから他の状態に移行されるようになっている。この場合、使用者によって引っ張り部材６４が上方に引っ張られることで、解除プレート部材６３が回動されて各回動アーム４３，５３の先端が上方に回動されることでストッパ４１，５１とストッパ受け４２，５２との係合が解除される。この解除と連動して、引っ張りコイルばね７１の付勢力によってオットマン１４全体を前方若しくは後方にスライド移動させるようになっている。
【００３４】
また、オットマン１４が図４又は図５に示すように使用状態にあるときには、ストッパ５１をストッパ受け５２と係合させることでスライドフレーム３２及びオットマン１４の前後方向への移動がロックされている。ここで、前記ロック解除状態から例えば図４に示す使用状態の内の脚載可能状態に移行させる際には、オットマン１４全体を更に前方へと押し出す。すると、オットマン１４は、収納状態における各姿勢を保持したまま、脚部用保持部２１をスライドフレーム３２側に付勢するばね８０によってリンク部材３５が回動軸３５ａを中心として回動されることで足部用保持部２２の脚載面２２ｃが座部１２前方に露出される脚載可能状態となる。図４に示す脚載可能状態から図５に示す使用状態の内のマッサージ可能状態に移行させる際には、例えば足部用保持部２２をコイルばね８１の付勢力に抗する力で前方に回動させることで、リンク部材３５によって連動されるように接続された脚部用保持部２１が回動軸３５ｂを中心として足部用保持部２２とは反対方向に回動されるようになっている。このように、各保持部２１，２２が連動されて回動されることで、下腿保持面２１ａと足裏保持面２２ａとが成す角度が略９０度となり、使用者の脚部を載置して各エアバッグ２３，２４によるマッサージが可能なマッサージ可能状態となっている。
【００３５】
上記のように構成されたマッサージ機１０では、以下に述べるようにしてオットマン１４を使用状態にセットして使用し、使用後はオットマン１４を座部１２下に容易且つコンパクトに収納させて収容状態としておくことができる。
【００３６】
まず、使用者は本マッサージ機１０使用に際し、オットマン１４を収納させた状態のマッサージ機１０の座部１２上に着座する。座部１２の側方からは、解除機構６０の引っ張り部材６４（図２等参照）を露出させており、この引っ張り部材６４を上方に引っ張ることでストッパ４１によるロックを解除し、引っ張りコイルばね７１の付勢力によってオットマン１４全体を図３に示す解除状態となる位置まで所定距離だけ前方に押し出させる。なお、オットマン１４の脚部用保持部２１は、特に外力が作用しない場合には前記下向き姿勢を維持するようにスライドフレーム３２側にばね８０により付勢されている。また、足部用保持部２２は、リンク部材３５との連結部位である回動軸３５ｃにコイルばね８１が設けられており、特に外力が発生しない時には、その爪先側を座部１２に近づける方向に回転付勢力を与えるものである。したがって、足部用保持部２２が有する足裏保持面２２ａを足裏で押し込むと、足部用保持部２２は爪先側を前方に倒すように回転し、足裏の押し込みを戻せば、これに伴って足部用保持部２２は爪先側を起こすように復帰する。このとき、足部用保持部２２は使用者の足で押されることで前方に回転して使用者の足首の角度にフィットするように変位する。
【００３７】
ここで、使用者がそのまま足裏を前方に押し出すと、スライドフレーム３２を介して脚部用保持部２１と足部用保持部２２とが共に前方へ移動する。脚部用保持部２１については、途中から座部フレーム１２ａと連結される連結部材（図示略）によってその先端側が座部１２側に引っ張られることで回転駆動力を付与され、先端部分を上方に持ち上げるように回動される（図４参照）。これに伴って、リンク部材３５を介して足部用保持部２２が前記リンク部材３５の回動軸３５ａを中心に各姿勢を保持したまま座部１２側に回動されて、足部用保持部２２の脚載面２２ｃが使用者が着座した状態で例えば脹脛が好適に保持できる位置である脚載可能状態とされる。
【００３８】
そして、使用者は図４のようにオットマン１４が脚載可能状態である場合に、足部用保持部２２を図４に示す状態から更に自身の足裏にフィットする角度まで座部１２から遠ざかる方向に回動させると、リンク部材３５にて連動される脚部用保持部２１が足部用保持部２２とは逆方向（座部１２側）に回動される。これによって、脚部用保持部２１は、その下腿保持面２１ａが座部１２の前方に露出されて、使用者の脚部（下腿）をその保持面２１ａに載置させることが可能となるマッサージ可能状態（図５参照）とされる。なお、このマッサージ可能状態は前述したように各保持部２１，２２の保持面２１ａ，２２ａがなす角度が略９０度となるよう設定されているため使用者の膝下から足先を各保持面２１ａ，２２ａに容易に載置することができるようになっている。このような状態において、例えば脚部用保持部２１や足部用保持部２２に配置したエアバッグ２３，２４によって脚部にマッサージを施すことができる。
【００３９】
次に、本実施形態の特徴的な作用効果を記載する。
（１）オットマン１４を座部１２の前後方向にスライドさせてオットマン１４が座部１２の下部に収納された収納状態と、オットマン１４が座部１２の前方に露出された使用状態とに切り替え可能なスライド機構３０が備えられる。これによって、オットマン１４を使用しない場合には座部１２の下部にオットマン１４を収納させ、オットマン１４使用時にはその収納状態からスライド機構３０によって座部１２前方に露出させることで使用することができる。また脚部用保持部２１と足部用保持部２２とは別の回動軸３５ｂ，３５ｃにて回動可能に設けられるとともに、脚部用保持部２１及び足部用保持部２２を回動させて、マッサージ手段としてのエアバッグ２３，２４側を座部１２の前方に露出させるマッサージ可能状態と、使用者の脚部を載置可能な脚載面２２ｃを露出させる脚載可能状態とに切替え可能に構成される。これにより、マッサージ可能状態と脚載可能状態とに切り替えることができる。更に、各保持部２１，２２を回動させてマッサージ可能状態と脚載可能状態とに切替える際には各保持部２１，２２の回動を連動させる連動リンク機構としてのリンク部材３５が設けられる。このように、各保持部２１，２２を回動させてマッサージ可能状態と脚載可能状態とに切り替える際にその回動が連動リンク機構としてのリンク部材３５によって連動されるため、より確実にマッサージ可能状態と脚載可能状態とに切替えることが可能となる。
【００４０】
（２）スライド機構３０にてオットマン１４が使用状態とされた場合に、オットマン１４が脚載可能状態となるように付勢するばね８０が設けられる。このように、ばね８０といった簡素な構成によりオットマン１４を脚載可能状態とすることができる。
【００４１】
（３）リンク部材３５は、オットマン１４の両側に一対備えられ、相互に連結部材３６にて連結されて一体動作するよう構成される。このように、オットマン１４の左右に位置する一対のリンク部材３５が連結されることで、各リンク部材３５による各保持部２１，２２の回動を連動させる際に左右均等に実施することができる。
【００４２】
尚、本発明の実施形態は、以下のように変更してもよい。
・上記実施形態では、特に言及していないが、図７に示すようにオットマン１４の脚部用保持部２１の回動途中でその回動を停止させるワンウェイクラッチ等からなる回動ロック機構９０を設ける構成を採用してもよい。ここでマッサージ可能状態をマッサージ機１０を使用する使用者の内で最も体格の大きな（高身長）の使用者に合わせて各保持部２１，２２の回動量を設定した場合において、そのマッサージ機１０を使用する使用者が小柄であった場合、足裏用のエアバッグ２４が膨張させると、その膨張による押圧力は足裏保持面２２ａを使用者の脚部から逃げる方向に回動する。このため、使用者に対してエアバッグ２４の膨張動作による押圧力を好適に付与することができない。そのため、その脚部から逃げる回動をロック機構９０によって予めロックさせることで、前述のエアバッグ２４の膨張による押圧力をより好適に付与して、好適なマッサージを行うことができる。
【００４３】
・上記実施形態では、オットマン１４の足部用保持部２２と脚部用保持部２１との両方にマッサージ手段としてのエアバッグ２３，２４を設ける構成としたが、これに限らずいずれか一方に設ける構成を採用してもよい。
【００４４】
・上記実施形態では、背もたれ部１３に施療子１７ａを有するマッサージ機構１７を内蔵する構成としたが、前記マッサージ機構１７を省略した構成を採用してもよい。
【符号の説明】
【００４５】
１０…マッサージ機、１２…座部、１４…オットマン、２１…脚部用保持部、２２…足部用保持部、２２ｃ…脚載面、３０…スライド機構、３５…連動リンク機構を構成するリンク部材、３５ｂ，３５ｃ…回動軸、３６…連結部材、８０…付勢手段としてのばね、９０…回動ロック機構。
【図１】
0005456533.tif 000002
【図２】
0005456533.tif 000003
【図３】
0005456533.tif 000004
【図４】
0005456533.tif 000005
【図５】
0005456533.tif 000006
【図６】
0005456533.tif 000007
【図７】
0005456533.tif 000008